(57)【要約】【課題】本発明の目的は、重負荷時の駆動源の動力不足を補う作業性の良い園芸工具を提供する。【解決手段】  回転駆動源６と、回転駆動源６からの回転力を受けて動作する作業部４を備えた園芸工具において、長尺バーの一端に着脱可能に取付けられる作業部が刈払機、チェーンソー、ヘッジトリマ、エッジャなどの動作の異なるものである場合に、作業部、作業状況に応じて回転トルクを増幅させ、作業性を向上させることができるようにした。【選択図】図１
2010011741.tif 000002
【特許請求の範囲】
【請求項１】
回転駆動源と、前記回転駆動源からの回転力を受けて動作する刈刃等の作業部を備えた園芸工具において、変速機構部を設け回転トルクを増減可能にしたことを特徴とする園芸工具。
【請求項２】
前記回転駆動源と前記作業部との間に長尺バーを有し、該長尺バーの一端に前記作業部が着脱可能に設けられていることを特徴とする請求項１記載の園芸工具。
【請求項３】
前記作業部は、刈払機、ヘッジトリマ、エッジャー、チェーンソーなど動作の異なる数種類の作業部であるものであることを特徴とする請求項２記載の園芸工具。
【発明の詳細な説明】
【技術分野】
【０００１】
本発明は、回転駆動源からの回転力を受けて動作する作業部を備えた刈払機等の園芸工具に関するものである。
【背景技術】
【０００２】
従来、エンジンや電動モータを駆動源とする刈払機は、長尺バーの先端へ作業部となるスピンドルの下端に草や枝を刈り込むための刈刃を結着し、回転駆動源へ長尺バーの他端に連結して構成され、刈刃に動力を伝達して該刈刃を回転駆動するものが一般的である。
【０００３】
また、前記作業部は先端工具のアタッチメント化により、刈払はもちろん、小型のチェーンソー、ヘッジトリマ、エッジャを取付けることができ、高所の枝剪定、植木の刈り込み作業も可能となっている。
【発明の開示】
【発明が解決しようとする課題】
【０００４】
上記した刈払機は、平地はもとより、傾斜地、山地などでも使用される。
【０００５】
作業内容としては草刈りが主であるが、頻繁に草刈りを行っている所は軽負荷状態で使用できるが、手入れがされていない所は草の丈が高く密度が多いため重負荷で使用される。
【０００６】
前記軽負荷時は何ら問題は無いが、重負荷時は駆動源の動力不足となり、駆動部が停止することもあった。
【０００７】
また、長尺バーの一端に着脱可能に取付けられる作業部が刈払機、チェーンソー、ヘッジトリマ、エッジャなどの動作の異なるものである場合には、作業に応じて異なる回転トルクが要求される場合がある。
【０００８】
本発明の目的は、上記した従来技術の欠点をなくし、駆動源の動力を有効に活用し、作業性の良い園芸工具を提供することにある。
【課題を解決するための手段】
【０００９】
上記目的は、回転駆動源と、前記回転駆動源からの回転力を受けて動作する刈刃等の作業部を備えた園芸工具において、変速機構部を設け回転トルクを増減可能にしたことにより達成される。
【発明の効果】
【００１０】
本発明によれば、重負荷時は変速機構部により減速し、作業部の先端工具の回転を落とし回転トルクを増幅させることができ、作業性を良くすることができる。
【００１１】
また、長尺バーの一端に着脱可能に取付けられる作業部が刈払機、チェーンソー、ヘッジトリマ、エッジャなどの動作の異なるものである場合には、作業部、作業状況に応じて回転トルクを変更することができ、作業性を向上させることができる。
【発明を実施するための最良の形態】
【００１２】
以下に本発明の実施の形態を添付図面に基づいて説明する。
図１は本発明の実施形態に係るアタッチメント式コードレス刈払機の側面図、図２は図１の駆動部拡大断面図Ａ、図３は図１の駆動部拡大断面図Ｂである。
図１に示すアタッチメント式コードレス刈払機は、主操作部２のシャフトパイプ３の先端に刈刃アタッチメント４をジョイント５によって着脱可能に装着して構成される。主操作部２は、シャフトパイプ３とその上端部に固定された駆動部６とで構成されており、図２に示すように駆動部６内にはモータ１５とバッテリ２２、及び変速部１４が収納されている。
変速部１４はモータシャフト１５ａに固着した小ギヤＭ１７と大ギヤＭ１６と駆動シャフト１８側に前後移動可能に嵌合させた小ギヤＳ１９と大ギヤＳ２０を有すると共に、小ギヤＳ１９、大ギヤＳ２０を移動するチェンジノブ２１から構成される。大ギヤＭ１６と小ギヤＳ１９(図２の状態)、小ギヤＭ１７と大ギヤＳ２０（図３の状態）が連結することにより、モータ１５の回転トルクは駆動シャフト１８に伝達される。図２の状態では駆動シャフト１８は通常回転となり、図３の状態では駆動シャフト１８は減速されるため高回転トルクの状態で回転する。
【００１３】
尚、シャフトパイプ３の内部には、駆動シャフト１８が挿通しており、シャフトパイプ３の長手方向中間部の外周には主ハンドル７が結着されており、この主ハンドル７にはモータ１５を起動／停止するためのスイッチ８が取付けられている。
【００１４】
更に、シャフトパイプ３の主ハンドル７の前方には補助ハンドル９が着脱可能に固定され、この補助ハンドル９と主ハンドル７の間には肩掛バンド１０が取付けられている。
一方、刈刃アタッチメント４は、ギヤボックス１１を備えており、ギヤボックス１１にはシャフトパイプ１２が斜めに上方から差し込まれて固定されている。尚、図示しないが、シャフトパイプ１２内には従動シャフトが挿通しており、従動シャフトは、ギヤボックス１１内に収納されたベベルギヤを介してスピンドルに連結されており、スピンドルの下端部には円板状の刈刃１３が結着されている。刈刃アタッチメント４をジョイント５によって主操作部２に装着することによって図１に示すアタッチメント式コードレス刈払機１が構成されるが、このとき同時に主操作部２の駆動シャフト１８と刈刃アタッチメント４の従動シャフトが連結される。尚、当該アタッチメント式コードレス刈払機１においては、ジョイント５によって連結されたシャフトパイプ３及び，シャフトパイプ１２が長尺バーを構成している。
【００１５】
次に、以上のように構成されたアタッチメント式コードレス刈払機１の動作を説明する。刈払作業時、肩掛けバンド１０を肩に掛け、主ハンドル７と補助ハンドル９を握り、主ハンドル７に設けられたスイッチ８をＯＮにすると、駆動部６に内蔵されたバッテリ２２からモータ１５に給電されてモータ１５が起動され、その回転は変速部１４によって変速されて駆動シャフト１８に伝達され、この駆動シャフト１８の回転は刈刃アッタッチメント４の従動シャフトに伝達され、該従動シャフトが所定の回転数で回転駆動される。
【００１６】
そして、この従動シャフトの回転は、ギヤボックス１１に内蔵されたベベルギヤによって方向が変えられてスピンドルへと伝達され、該スピンドルとこれに結着された刈刃１３が所定の速度で回転駆動され、回転する刈刃１３によって草や枝が刈り込まれる。
【００１７】
このとき、変速部１４が図３の状態の時は上記したように、モータ１５は減速されるため、刈刃１３は高回転トルクの状態で回転することになり、重切削が可能となり刈払作業を作業性良く行うことができる。
【００１８】
図１に示すコードレス刈払機１は、ジョイント５に着脱可能な刈刃アタッチメント４（刈払機）を取付けた状態を示すが、ジョイント５に着脱可能なアタッチメントは、チェーンソー、ヘッジトリマ、エッジャなどであっても良い。
【００１９】
ヘッジトリマでは刈り込みを行う枝木、チェーンソーでは切削対象となる切削材、エッジャでは対象となる土壌などによっては、高い回転トルクが要求される場合があり、本発明ではこのようにジョイント５に取付ける作業部によって回転トルクを変更することができ、作業性を向上させることができるものである。
【００２０】
また、上記実施形態ではシャフトパイプ３、１２の間にジョイント部５を設けた構成としたが、特開平８−１７２９０９に示すようにシャフトパイプの先端のギヤボックス１１に種類の異なる作業部を着脱可能な構成としても良いものであり、上記実施形態と同様の作用効果を奏し得るものである。
【００２１】
また、上記実施形態では、駆動部６がモータであるが、エンジンであっても良い。但し、駆動部６がモータである場合には、回転トルクが小さい状態で重負荷作業を連続するとモータの焼損が発生しやすいものであるため、回転トルクを変更することでモータの焼損を抑制することができ、有用である。
【図面の簡単な説明】
【００２２】
【図１】本発明園芸工具の一実施形態を示す側面図。
【図２】図１の駆動部の一実施形態を示す要部拡大断面図。
【図３】図２の一動作状態を示す図１の要部拡大断面図。
【符号の説明】
【００２３】
２…主操作部、４…刈刃アタッチメント、５…ジョイント、６…駆動部、１３…刈刃、１５…モータ、１５ａ…モータ軸、１６…大ギヤＭ、１７…小ギヤＭ、１９…小ギヤＳ、２０…大ギヤＳ、２１…チェンジノブ
【図１】
2010011741.tif 000003
【図２】
2010011741.tif 000004
【図３】
2010011741.tif 000005